(57)【要約】【課題】水中使用の際のカメラ保持のためにストラップを設けた場合、そのストラップを収容可能に構成し、また２つのケースの結合部における水密性を向上させたカメラ用防水ケース及び防水カメラを提供する。【解決手段】このカメラ用防水ケース１は、第１ケースと、第１ケースと結合される第２ケースとで構成され、カメラまたはレンズ付きフィルムユニットを収容可能であり、第１ケースと第２ケースとの結合部の少なくとも一部を覆う保護部材５１，６１を備え、第１ケースまたは第２ケースと保護部材との間にケース保持用のストラップＳを収納するための空間部１０ａを設けた。または、空間部１０ａにストラップの巻き取り装置を配置する。【選択図】  図１
2004163657.tif 000002
【特許請求の範囲】
【請求項１】
第１ケースと、前記第１ケースと結合される第２ケースとで構成され、カメラまたはレンズ付きフィルムユニットを収容可能なカメラ用防水ケースにおいて、
前記第１ケースと前記第２ケースとの結合部の少なくとも一部を覆う保護部材を備え、前記第１ケースまたは前記第２ケースと前記保護部材との間にケース保持用のストラップを収納するための空間部を設けたことを特徴とするカメラ用防水ケース。
【請求項２】
前記空間部には前記ストラップを巻き取るための巻き取り装置が配置されていることを特徴とする請求項１に記載のカメラ用防水ケース。
【請求項３】
前記ストラップには前記カメラ用防水ケースから出ている長さを示す指標が設けられていることを特徴とする請求項１または２に記載のカメラ用防水ケース。
【請求項４】
前記ストラップの先端に固定部を備えることを特徴とする請求項１，２または３に記載のカメラ用防水ケース。
【請求項５】
前記保護部材は前記結合された第１ケースと第２ケースとに取り付けられる第１外側部材と第２外側部材とを備え、
前記結合部は直線状に形成され、
前記第１外側部材及び前記第２外側部材は前記直線状の結合部を覆うように互いに対向する方向から前記第１ケース及び前記第２ケースに取り付けられることを特徴とする請求項１乃至４のいずれか１項に記載のカメラ用防水ケース。
【請求項６】
請求項１乃至５のいずれか１項に記載のカメラ用防水ケース内にカメラまたはレンズ付きフィルムユニットを収容したことを特徴とする防水カメラ。
【発明の詳細な説明】
【０００１】
【発明の属する技術分野】
本発明は、カメラを水中等で使用するときに好適なカメラ用防水ケース、及びこの防水ケースを用いた防水カメラに関する。
【０００２】
【従来の技術】
カメラを水中で使用するために水密に収容するカメラ用防水ケースとして、例えば、前面容器と背面容器とをゴムパッキン等で密閉するように結合した防水ケースが公知である（例えば、下記特許文献１）。同特許文献１の図２では、防水ケースを前面部、背面部、及び前面部と背面部との結合部を水密にするパッキンから構成し、前面部の複数箇所に設けられた係止爪と背面部の被係止片との係止により前面部と背面部とを爪結合させている。
【０００３】
しかし、かかる爪結合によると、前面部と背面部との結合が部分的に行われる結果、不充分となり、パッキン結合部における水密性が不充分となってしまう。特に、水中の水深の深いところで使用する場合に、高水圧に対し満足な水密性を得ることが困難である。また、カメラを防水ケースに収容して水中で使用する際にはカメラ保持のための保持手段があると便利である。この保持手段としての通常のストラップでは水中での持ち運びが不便であり、手首等にかけて水中を移動中に気づかないで落としてしまう恐れがある。
【０００４】
【特許文献１】
特開２００１−１００２９２公報
【０００５】
【特許文献２】
特開２００１−９１９９５公報
【０００６】
【発明が解決しようとする課題】
本発明は、水中使用の際のカメラ保持のためにストラップを設けた場合、そのストラップを収容可能に構成し、また２つのケースの結合部における水密性を向上させたカメラ用防水ケース及び防水カメラを提供することを目的とする。
【０００７】
【課題を解決するための手段】
上記目的を達成するために、本発明によるカメラ用防水ケースは、第１ケースと、前記第１ケースと結合される第２ケースとで構成され、カメラまたはレンズ付きフィルムユニットを収容可能なカメラ用防水ケースにおいて、前記第１ケースと前記第２ケースとの結合部の少なくとも一部を覆う保護部材を備え、前記第１ケースまたは前記第２ケースと前記保護部材との間にケース保持用のストラップを収納するための空間部を設けたことを特徴とする。
【０００８】
このカメラ用防水ケースによれば、保護部材が第１ケースと第２ケースとの結合部の少なくとも一部を覆うことで水密性を向上できるとともに、保護部材と第１ケースまたは第２ケースとの間に形成した空間部にストラップを収納できるので、非使用時等にストラップをケース内部に収め、使用時に取り出して簡単に使用することができ、便利である。
【０００９】
この場合、前記空間部には前記ストラップを巻き取るための巻き取り装置が配置されていることが好ましい。これにより、ストラップを収納するとき、巻き取り装置で自動的に行うことができ、便利である。
【００１０】
また、前記ストラップには前記カメラ用防水ケースから出ている長さを示す指標が設けられていることが好ましい。これにより、水中でストラップを使用し防水ケースを保持しているとき、例えば水深や所定位置からの距離等を簡単に測定するのに便利である。
【００１１】
また、前記ストラップの先端にクリップ等の固定部を備えることで、固定部によりストラップをウエットスーツ、ＢＣＤ（ダイビング機材）等に固定しておき、撮影時のみストラップを伸ばし撮影動作を行い、移動時にはストラップを収納させて固定しておくことが可能であり、また、移動時、邪魔になることもなく、防水カメラを落としたりする危険性もない。
【００１２】
また、前記保護部材は前記結合された第１ケースと第２ケースとに取り付けられる第１外側部材と第２外側部材とを備え、前記結合部は直線状に形成され、前記第１外側部材及び前記第２外側部材は前記直線状の結合部を覆うように互いに対向する方向から前記第１ケース及び前記第２ケースに取り付けられることが好ましい。
【００１３】
本発明による防水カメラは、上述のカメラ用防水ケース内にカメラまたはレンズ付き防水フィルムユニットを収容したものである。この防水カメラによれば、防水ケースにおいて保護部材が第１ケースと第２ケースとの結合部の少なくとも一部を覆うことで水密性を向上できるとともに、保護部材と第１ケースまたは第２ケースとの間に形成した空間部にストラップを収納できるので、防水カメラ非使用時等にストラップをケース内部に収め、使用時に取り出して簡単に使用することができ、水中での防水カメラの使用上便利である。
【００１４】
【発明の実施の形態】
以下、本発明による実施の形態について図面を用いて説明する。図１は本実施の形態による、レンズ付きフィルムユニットを収容するカメラ用防水ケースを示す斜視図である。図２は図１のカメラ用防水ケースを外側部材が離れた状態で示す前面側から見た分解斜視図であり、図３は同じく背面側から見た分解斜視図である。
【００１５】
図１に示すように、カメラ用防水ケース１は、内部にレンズ付きフィルムユニットを収容する防水ケース１０と、防水ケース１０の上側半分に取り付けられた第１外側部材５１と、防水ケース１０の下半分に取り付けられた第２外側部材６１と、を備える。
【００１６】
図１乃至図３のように、防水ケース１０は、内部に収容するレンズ付きフィルムユニットの各カメラ機能に対応して、撮影窓部１１と、フィルムを巻き上げるフィルム巻き上げノブ１２と、絞り切換のための絞り操作部材１３と、シャッタボタンを押圧するためのシャッタ操作部材１４と、ファインダ窓部１５と、ファインダ覗き部１６と、を備える。
【００１７】
防水ケース１０は、光透過性のプラスチック材料から略矩形の平箱状に構成され、前面側の第１ケース２１と背面側の第２ケース２２とを結合部２０で水密構造となるように結合し、レンズ付きフィルムユニットを収容可能な内部空間を形成している。結合部２０は、防水ケース１０の上面、両側面及び下面の全周を包囲して突き出し部として直線状に形成されている。
【００１８】
第１外側部材５１及び第２外側部材６１は、光透過性のプラスチック材料から形成され、保護部材を構成し、防水ケース１０の上面、両側面及び下面を包囲するように取り付けられる。第１外側部材５１及び第２外側部材６１の各内面には溝部５２（図２，図３の破線で示す）及び６２が防水ケース１０の結合部２０に対応する位置で長手方向に延びるように形成されている。
【００１９】
また、図１乃至図３のように、防水ケース１０の底面に対応する第２外側部材６１の溝部６２の防水ケース前面側であって、防水ケース１０の底面と第２外側部材６１との間に空間部１０ａを形成し、この空間部１０ａ内には図１の破線で示すように防水ケース１０を保持するためのストラップＳを収納できるようになっている。
【００２０】
また、第１外側部材５１と第２外側部材６１とを防水ケース１０に取り付けたとき、第１外側部材５１の両側面端部に設けられた第１係合部５３と、第２外側部材６１の両側面端部に設けられた第２係合部６３とが互いに対向し係合して係合部６０を形成する。この係合部６０により外側部材の外れ、特に図の縦方向（側面に沿った方向）に外れてしまうことを防止できる。
【００２１】
また、図２，図３のように、防水ケース１０の第１ケース２１の前面には、それぞれ平面的に所定形状で外側部材の厚み程度に凹んだ複数の凹部２１ａ、２１ｂ、２１ｃが形成され、同様に第２ケース２２の背面には、それぞれ平面的に所定形状で外側部材の厚み程度に凹んだ複数の凹部２２ａ、２２ｂ、２２ｃが形成されている。そして、第１外側部材５１には、防水ケース１０側の凹部２１ａ、２２ｂに対応してそれぞれ相補的形状となるように張り出した張り出し部５１ａ、５１ｂが形成され、同様に第２外側部材６１には、防水ケース１０側の凹部２１ｂ、２１ｃ、２２ａ、２２ｃに対応してそれぞれ相補的形状となるように張り出した張り出し部６１ｂ、６１ｃ、６１ａ、６２ｃが形成されている。
【００２２】
第１外側部材５１と第２外側部材６１とを防水ケース１０に取り付けると、防水ケース１０側の凹部２１ａ、２２ｂ、２１ｂ、２１ｃ、２２ａ、２２ｃにそれぞれ外側部材の張り出し部５１ａ、５１ｂ、６１ｂ、６１ｃ、６１ａ、６２ｃが位置するので、図１に示すように、カメラ用防水ケース１の外面全体は、凹凸の殆どない滑らかな外観形状を構成する。
【００２３】
次に、防水ケース１０を構成する前面側の第１ケース２１及び背面側の第２ケース２２について図４，図５，図６を参照して説明する。図４は第１ケースを内面側から見た図であり、図５は第２ケースを内面側から見た図である。図６は第１ケースと第２ケースとを結合したときの結合部の断面図である。
【００２４】
図４のように、第１ケース２１は、平箱凹状に形成され、外周端部の全周にわたり上面、両側面及び下面側に突き出るようにして設けられた鍔部２３と、鍔部２３の内面側近傍に全周にわたり第２ケース２２側に突き出るようにして設けられた凸部２４と、を有する。また、第１ケース２１には、図１乃至図３に示すフィルム巻き上げノブ１２、絞り操作部材１３及びシャッタ操作部材１４に対応して、巻き上げノブ用孔２５、絞り操作部材１３の取り付け部２６、及びシャッタ用孔２９が形成されている。
【００２５】
図５のように、第２ケース２２は、トレイ状に第１ケース２１の外周形状に対応して形成され、外周端部の全周にわたり鍔部２３と対応して突き出るようにして設けられた鍔部２７と、鍔部２７の内面側近傍に全周にわたりゴムパッキン等からなる水密部材３０（図６）が収められ凸部２４が入り込むように凹状に形成された溝２８と、を有する。
【００２６】
図６のように、第２ケース２２を第１ケース２１に結合部２０で結合すると、第２のケースの溝２８内に水密部材３０を収めた状態で第１ケース２１の凸部２４が溝２８内の水密部材３０を外周外側に押し広げるようにして溝２８に嵌り込むことで、水密部材３０が溝２８内の外周側内面２８ａに押し付けられて弾性的に変形し、断面円形状が扁平状に押し潰される。このようにして、凸部２４が全周で溝２８に嵌り込み、水密部材３０が溝２８の全周にわたって弾性変形し溝２８内に密着することで、第１ケース２１と第２ケース２２とが結合部２０で嵌合し水密に結合される。
【００２７】
次に、外側部材の係合部６０について図７，図８を参照して説明する。図７は第２外側部材６１の第２係合部６３を示す部分斜視図であり、図８は、図１の係合部６０の係合状態を縦方向に切断し内面側から見た図である。
【００２８】
図７、図８のように、第２外側部材６１の第２係合部６３は、第２外側部材６１の側端部から上部に半円状に突き出たリング状部６９と、リング状部６９の内側に側面側に突き出て円形状に形成された円形突き出し部６４と、リング状部６９とその内周側の円形突き出し部６４との間に互いを分断するように円周上に分割されて形成された複数のリング状孔６６と、を有する。
【００２９】
第２係合部６３は、更に、リング状部６９と円形突き出し部６４とを複数のリング状孔６６間で比較的容易に破断可能なサイズで連結する破断可能連結部６７と、第２外側部材６１の側端部から下方に形成され側面側に半円状に突き出てリング状部６９よりも大径の半円状凸部６８と、を有する。
【００３０】
また、図２，図３，図８のように、第１外側部材５１の第１係合部５３は、第１外側部材５１の側端部から下部に半円状に突き出たリング状部５４と、リング状部５４の内周に円形状に形成された係合孔５５と、を有する。リング状部５４は、図８のように、第１外側部材５１の側面側に突き出ており、係合孔５５内に第２係合部６３の円形突き出し部６４が入り込むとともに半円状凸部６８の内周側に位置し、この位置で互いが係合するようになっている。
【００３１】
外側部材の第１係合部５３と第２係合部６３とが係合すると、図１、図８のように、第１係合部５３側のリング状部５４が第２係合部６３のリング状部６９や複数のリング状孔６６を覆うように位置し、第２係合部６３側の円形突き出し部６４だけが係合孔５５を通して側面側に露出する。このため、上述のように形成された係合部６０での係合を外部からの手操作では解除できないようになっている。
【００３２】
この場合、第２係合部６３の円形突き出し部６４の直径方向には細長孔６５が形成されており、細長孔６５にマイナスドライバ等を差し込み回すことで、連結部６７を比較的容易にねじ切り破断できるようになっており、これにより、係合部６０における係合を解除できる。
【００３３】
次に、防水ケース１０に第１外側部材５１及び第２外側部材６１を取り付けるときの案内構造及び逆付け防止構造について図９等を参照して説明する。図９は防水ケースを第１のケース前面側から見た部分斜視図である。
【００３４】
図２，図３，図９のように、防水ケース１０には、第１のケース２１の前面の両側端の近傍に縦方向に延びる案内溝３２，３３が縦方向に形成されており、同様に第２のケース２２の背面の両側端の近傍に縦方向に延びる案内溝３１，３４が縦方向に延びるようにして形成されている。各案内溝３１乃至３４は外側部材側の案内凸部が入り込むことができるようにそれらの溝端が開放されている。
【００３５】
一方、外側部材には、図２，図３の第２外側部材６１のように、内面側の案内溝３１乃至３４に対応する位置に縦方向に延びるようにして案内凸部７１，７２，７３，７４が形成されている。第１外側部材５１の内面にも同様の案内凸部が案内溝３１乃至３４に対応して設けられている。
【００３６】
上述のような防水ケース１０側の案内溝３１乃至３４と外側部材側の案内凸部７１乃至７４とから構成される案内構造によれば、第１外側部材５１及び第２外側部材６１を防水ケース１０に取り付けるとき、防水ケース１０の案内溝３１乃至３４に外側部材側の案内凸部７１乃至７４が入り込んで案内するので、取付を容易かつ確実に行うことができる。
【００３７】
また、案内凸部７１，７２，７３，７４の各位置を、例えば第２外側部材６１を、１８０度反対にして誤って取り付けようとしたとき、また第１外側部材５１と間違って上部に取り付けようとしたときのように、反対取り付け及び部材間違いのいずれの場合にも案内溝とずれる位置関係とし、正規の案内溝３１，３２，３３，３４だけに案内されるようにすることで、逆付け防止構造を構成できる。
【００３８】
また、案内溝３１，３２，３３，３４の各位置を反対取り付け及び部材間違いの場合に案内凸部とずれる位置関係とすることで同様の逆付け防止構造を構成できる。
【００３９】
また、上述の案内構造によれば、第１外側部材５１及び第２外側部材６１を防水ケース１０に取り付けたとき、防水ケース１０の案内溝３１乃至３４に外側部材側の案内凸部７１乃至７４がそれぞれは入り込んでいるので、外側部材の外れ、特に、防水ケース１０の横方向に広げられて外れることを防止する外側部材の外れ防止構造をも構成する。
【００４０】
また、上述のように、防水ケース１０の表面に形成された複数の凹部２１ａ、２１ｂ、２１ｃ、２２ａ、２２ｂ、２２ｃに、図１，図２，図３に示すように、外側部材の張り出し部５１ａ、５１ｂ、６１ｂ、６１ｃ、６１ａ、６２ｃがはまり込んで位置するとき、反対取り付け及び部材間違いの場合に、各凹部及び各張り出し部をはまり込み不可能または隙間ができるような形状とすることで、逆付け防止構造を構成してもよい。
【００４１】
次に、上述の防水ケースの組立て及び外側部材の防水ケースへの取付けについて図１乃至図１０を参照して説明する。図１０は外側部材を防水ケースに取付けたときの要部断面図である。
【００４２】
まず、図４のような第１ケース２１内に、図１乃至図３の巻き上げノブ１２と、絞り操作部材１３及びシャッタ操作部材１４を取り付けてからレンズ付きフィルムユニットを収め、図５の第２ケース２２を図６のようにはめ込んで結合し、防水ケース１０を得る。
【００４３】
次に、図２，図３のように、第２の外側部材６１を防水ケース１０の下面側から差し込むようにして取り付け、そして第１の外側部材５１を防水ケース１０の上面側から差し込むようにして取り付ける。このとき、第１の外側部材５１の第１係合部５３のリング状部５４が弾性変形し第２の外側部材６１の第２係合部６３の円形突き出し部６４を越え、図８のように、リング状部５４の内周の係合孔５５内に円形突き出し部６４がはめ込まれる。このようにして係合部６０が形成され、第１の外側部材５１と第２の外側部材６１とが一体となり外側部材を形成し、両者を引き離すことができない。
【００４４】
そして、図１，図８のように、リング状部５４が第２係合部６３のリング状部６９や複数のリング状孔６６を覆うとともに円形突き出し部６４だけが係合孔５５を通して側面側に露出する。これにより、係合部６０における係合を外部からの手操作では解除できないので、第１の外側部材５１と第２の外側部材６１とが不測に外れてしまうことを防止できる。
【００４５】
なお、第１の外側部材５１と第２の外側部材６１とを防水ケース１０から取り外すときは、側面側に露出した円形突き出し部６４の細長孔６５にマイナスドライバ等を差し込み回すことで連結部６７をねじ切り破断し、円形突き出し部６４を除去することで係合部６０における係合を解除する。
【００４６】
また、第１の外側部材５１及び第２の外側部材６１を防水ケース１０に取り付けると、図１０のように防水ケース１０の側面側に突き出た結合部２０がほぼ全周にわたって第１の外側部材５１及び第２の外側部材６１の内面にある溝部５２，６２内に収まる。これにより、防水ケース１０の結合部２０を溝部５２，６２で覆うようにしてほぼ全周にわたって固定でき、更に図６のような結合部２０の結合を溝部５２，６２で良好に維持できるので、防水ケース１０の結合部２０における水密性を向上できる。
【００４７】
また、第２ケース２２と第１ケース２１との結合部２０は第２のケースの溝２８内に第１ケース２１の凸部２４が嵌り込む嵌合構造となっており、この嵌合構造が溝部５２，６２内で良好に維持できるので、水密性を更に向上できる。
【００４８】
また、図２，図３，図９のように、防水ケース１０の鍔状に突き出た結合部２０の第１ケース２１の前面側段部には、図の縦方向に延びた薄肉突起部３８が両端に形成され、同様に、第２ケース２２の背面側段部には、図の縦方向に延びた薄肉突起部３９が両端に形成されている。これらの薄肉突起部３８、３９は、結合部２０が外側部材の溝部５２，６２内に位置するときに、同じく溝部５２，６２内にあることで、結合部２０と溝部５２，６２とが隙間なく密着することで、外側部材による結合部２０の固定が一層確実となる。
【００４９】
また、上述の防水ケース１０内にレンズ付きフィルムユニットを収容することで防水カメラを構成できるが、この防水カメラによれば、上述のように防水ケース１０の水密性が向上するので、水中や水辺等で使用しても内部のカメラ機能を損なうことなく安定して続けて使用でき、特に、水深の深い（例えば水深５０ｍ程度）水中で使用可能に構成できる。
【００５０】
また、図１乃至図３に示すように、防水ケース１０の底面と第２外側部材６１との間に形成した空間部１０ａ内には図１の破線のように防水ケース１０を保持するためのストラップＳを収納できるので、非使用時等にストラップＳを防水ケース１０内部に収め、使用時に取り出して簡単に使用することができ、便利である。
【００５１】
図１１にストラップＳの一例を示すが、ストラップＳは、平らなひも状に構成され、例えば０．５ｍごとに長さを示す指標が設けられており、水中でストラップＳを使用し防水ケース１０を保持しているとき、例えば水深や所定位置からの距離等を簡単に測定するのに便利である。ストラップＳは、例えば、図１，図３のように第２外側部材６１の側面に設けられたストラップ係止部１０ｂに係止されることで防水ケース１０と結合される。
【００５２】
また、水密性に関し上述の防水カメラの水深限界が例えば５０ｍの場合、撮影者が５０ｍ以上を深く潜ると、防水カメラが陥没する可能性が発生するが、防水カメラを浮くようにしておき、ストラップＳを使用することで、防水カメラを５０ｍの地点に浮かせておいてストラップＳの距離分だけ深く潜ることが可能になる。
【００５３】
次に、図１乃至図３に示す防水ケースの変形例を図１２、図１３により説明する。図１２は、防水ケースの空間部にストラップを巻き取るための巻き取り装置を配置した例を示す斜視図であり、図１３は図１２の巻き取り装置の内部の巻き取り機構を示す図であり、ストラップを巻き取ったときの図（ａ）及びストラップが引っ張り出されたときの図（ｂ）である。
【００５４】
図１２に示すように、防水ケース１０の底面と第２外側部材６１との間に形成した空間部１０ａ内にはストラップＳを巻き取りかつ引き出し可能な巻き取り装置５が配置されている。
【００５５】
巻き取り装置５は、図１３のように、図１１のようなストラップＳをその周囲に巻き取るための円筒状巻き取り部６ｃと、円筒状巻き取り部６ｃを回転させるように内部に設けられたうず巻きぜんまいばね６ｂと、うず巻きぜんまいばね６ｂを周囲に巻き取る巻回軸６ａと、を内部に有し、また、図１２のように、巻回軸６ａと連結した係止回転板５ａと、係止回転板５ａの一方向への回転を妨げる係止部５ｂと、を有し、ラチェット機構を構成している。ストラップＳは、第２外側部材６１に形成した開口１０ｃを通して空間部１０ａ内の巻き取り装置５の円筒状巻き取り部６ｃの外周に固定されている。
【００５６】
図１２，図１３の巻き取り装置５の動作を説明する。図１３（ａ）のようにストラップＳを円筒状巻き取り部６ｃに巻き取った状態で、ストラップＳを引き出すと、円筒状巻き取り部６ｃがうず巻きぜんまいばね６ｂを巻き取りながら巻回軸６ａとともに回転するが、このとき、巻回軸６ａは係止回転板５ａが係止部５ｂに回転を妨げられずに図１２の回転方向ｒに回転できるので、巻回軸６ａが回転できる。そして、ストラップＳを所定の長さだけ引き出し、引き出し動作を止めると、係止回転板５ａが係止部５ｂに係止し回転を妨げられるため、その状態でストラップＳが固定される。
【００５７】
また、図１３（ｂ）の状態からストラップＳを巻き取るときには、ストラップＳを軽く引っ張ると、係止部５ｂが図１２の回転方向ｔに回転し係止回転板５ａとの係止が解除されるので、巻き取られたうず巻きぜんまいばね６ｂが元の状態に戻ろうとする回転により円筒状巻き取り部６ｃが回転しその周囲にストラップＳを図１３（ａ）のように巻き取る。
【００５８】
以上のようにして、図１２，図１３の巻き取り装置５によりストラップＳを自動的に巻き取ることで、防水ケース１０内の空間部１０ａに簡単に収容することができるとともに、使用時にはストラップＳを引っ張ることで簡単に所定の長さまで引き出すことができる。
【００５９】
図１４にストラップＳの巻き取り装置を設けた別の変形例を示すが、図１４では、巻き取り装置５の取り付け方向を変え、係止回転板５ａと係止部５ｂが防水ケース１０の底面と対向するように配置された以外は、図１２と同様の構成である。図１４の巻き取り装置５でも、ストラップＳの自動的に巻き取り及びストラップＳの引き出しを簡単に行うことができる。
【００６０】
なお、図１２，図１４では、巻き取り装置５を空間部１０ａ内に配置したため、図１乃至図３の場合よりも空間部１０ａの特に高さ方向の距離を大きくする場合には、防水ケース１０の底面に対応する第２外側部材６１の溝部６２を構成する壁部を高く形成することが好ましく、または、かかる壁部を省略してもよい。また、溝部６２の壁部を高くした場合に、巻き取り装置５に対応する部分で壁部を省略してもよい。
【００６１】
また、防水ケース１０を構成する材料としては、ＰＳあるいはＡＳを用いることができる。また、ＰＳは日焼け止め溶液や日焼け止めクリーム等で曇りが発生することがあるので曇りが発生しないＡＳとするのが望ましい。
【００６２】
また、外側部材５１、６１を構成する材料は、強度が強いＡＢＳとするのが望ましい。また、外側部材５１、６１は透明で有る必要はなく、適宜の色に着色してもよい。
【００６３】
以上のように本発明を実施の形態により説明したが、本発明はこれらに限定されるものではなく、本発明の技術的思想の範囲内で各種の変形が可能である。例えば、防水ケース１０内にはカメラを収容するように構成できる。また、ストラップの巻き取り装置は、うず巻きぜんまいばね機構以外にも各種の公知の巻き取り機構を使用できることは勿論である。
【００６４】
また、上記ストラップＳには先端にクリップを付けておくことにより、ストラップＳをクリップでウエットスーツ、ＢＣＤ（ダイビング機材）等に固定しておき、撮影時のみストラップを伸ばし撮影動作を行い、移動時にはストラップを収納させて固定しておくことができ、また、移動時、邪魔になることもなく、防水カメラを水中で落としたりする危険性もなくなる。
【００６５】
【発明の効果】
本発明によれば、水中使用の際のカメラ保持のためにストラップを設けた場合、そのストラップを収容可能に構成するとともに、２つのケースの結合部における水密性を向上させたカメラ用防水ケース及び防水カメラを提供できる。
【図面の簡単な説明】
【図１】本実施の形態による、レンズ付きフィルムユニットを収容するカメラ用防水ケースを示す斜視図である。
【図２】図１のカメラ用防水ケースを外側部材が離れた状態で示す前面側から見た分解斜視図である。
【図３】図２と同じく背面側から見た分解斜視図である。
【図４】図１の防水ケースの第１ケースを内面側から見た図である。
【図５】図１の防水ケースの第２ケースを内面側から見た図である。
【図６】図４の第１ケースと図５の第２ケースとを結合したときの結合部の断面図である。
【図７】図１乃至図３の第２外側部材６１の第２係合部６３を示す部分斜視図である。
【図８】図１の係合部６０の係合状態を縦方向に切断し内面側から見た図である。
【図９】図１乃至図３の防水ケースを第１のケース前面側から見た部分斜視図である。
【図１０】図１のように外側部材を防水ケースに取付けたときの要部断面図である。
【図１１】本実施の形態におけるストラップＳの一例を示す平面図である。
【図１２】図１乃至図３の防水ケースの空間部にストラップを巻き取るための巻き取り装置を配置した変形例を示す斜視図である。
【図１３】図１２の巻き取り装置の内部の巻き取り機構を示す図であり、ストラップを巻き取ったときの図（ａ）及びストラップが引っ張り出されたときの図（ｂ）である。
【図１４】図１乃至図３の防水ケースの空間部にストラップを巻き取るための巻き取り装置を配置した別の変形例を示す斜視図である。
【符号の説明】
１・・・カメラ用防水ケース
１０・・・防水ケース
１０ａ・・・空間部
１２・・・フィルム巻き上げノブ
１３・・・絞り操作部材
１４・・・シャッタ操作部材
２０・・・結合部
２１・・・第１ケース
２２・・・第２ケース
２３・・・鍔部
２４・・・凸部
２７・・・鍔部
２８・・・溝
３０・・・水密部材
５１・・・第１外側部材（保護部材）
５２・・・溝部
５３・・・第１係合部
６０・・・係合部
６１・・・第２外側部材（保護部材）
６２・・・溝部
６３・・・第２係合部
３１，３２，３３，３４・・・案内溝
７１，７２，７３，７４・・・案内凸部
５・・・巻き取り装置
Ｓ・・・ストラップ
【図１】
2004163657.tif 000003
【図２】
2004163657.tif 000004
【図３】
2004163657.tif 000005
【図４】
2004163657.tif 000006
【図５】
2004163657.tif 000007
【図６】
2004163657.tif 000008
【図７】
2004163657.tif 000009
【図８】
2004163657.tif 000010
【図９】
2004163657.tif 000011
【図１０】
2004163657.tif 000012
【図１１】
2004163657.tif 000013
【図１２】
2004163657.tif 000014
【図１３】
2004163657.tif 000015
【図１４】
2004163657.tif 000016